(57)【要約】【課題】戸体の縦框を直接的に上枠や下枠にスライド移動可能に係合させて戸体を設置するように構成した場合であっても、戸当りパッキンに縦框が擦れることを防止できる折れ戸を提供する。【解決手段】戸枠と、框及び障子からなり、戸枠に支持される複数の戸体１とを備えるとともに、隣り合う戸体１を上下方向Ｔ１に延びる回動軸線周りに回動自在に連結してなる折れ戸Ｂであって、戸枠の上枠８に、折れ戸Ｂを閉じた状態で戸体１の上框１５に当接する戸当りパッキン２８を設け、且つ、戸枠の上枠８にこの上枠８の長手方向Ｔ２に沿う回動軸線Ｏ１周りに回動自在に設けられた回動部材２７に、戸当りパッキン２８を一体に取り付けて構成する。【選択図】図３
2015196976.tif 000002
【特許請求の範囲】
【請求項１】
戸枠と、框及び障子からなり、前記戸枠に支持される複数の戸体とを備えるとともに、隣り合う前記戸体の縦框同士を上下方向に延びる回動軸線周りに回動自在に連結してなる折れ戸であって、
前記戸枠の上枠に、前記折れ戸を閉じた状態で前記戸体の上框に当接する戸当りパッキンが設けられ、
且つ、前記戸枠の上枠に該上枠の長手方向に沿う回動軸線周りに回動自在に設けられた回動部材に、前記戸当りパッキンを一体に取り付けて構成されていることを特徴とする折れ戸。
【請求項２】
請求項１記載の折れ戸において、
折れ戸の開閉動作時に、前記回動部材が前記戸体の挙動に連動して回動し、前記戸当りパッキンが前記上框に対して離間した状態を保持するように構成されていることを特徴とする折れ戸。
【発明の詳細な説明】
【技術分野】
【０００１】
本発明は、折れ戸に関する。
【背景技術】
【０００２】
建物の開口部を大きく開いて開放感を得ることができ、建物の快適性、利便性を高めることができるため、例えば住宅のリビングなどに折れ戸を設置するケースが増えている。
【０００３】
従来、折れ戸は、アルミ型材を用いて形成され、建物の開口部の周縁に設置される上枠、下枠、一対の縦枠からなる戸枠と、アルミ型材を用いて形成された上框（上桟）、下框（下桟）、一対の縦框（縦桟）からなる方形枠状の框にガラスパネルなどの障子を保持させてなる複数の戸体とを備えて構成されている（例えば、特許文献１、特許文献２、特許文献３参照）。
【０００４】
また、戸枠の下枠には、下方に凹み、下枠の長手方向、すなわち折れ戸の幅方向に沿って一端部から他端部まで延びるガイドレール（ガイド溝）が形成され、上枠には、上枠の長手方向に沿って一端部から他端部まで延びる吊りレールが形成されている。
【０００５】
一方、複数の戸体は、隣り合う戸体の縦框同士が上下方向に延びる回動軸線に回動自在に連結されている。また、このとき、図５に示すように、折れ戸Ａ（複数の戸体１）を折り畳んで開いた際に建物の開口部よりも外側に配される連結部Ｓ１にはアルミ型材の連結框２が設けられ、連結框２にそれぞれ回動自在に連結することにより、この部分の隣り合う戸体１の一方の縦框３同士が回動自在に連結されている。
【０００６】
さらに、戸先側などの戸体１の他方の縦框４には、アルミ型材のマリオン５が連結框２と同様に回動自在に連結されている。また、折れ戸Ａを折り畳んだ際に建物の開口部上に配されるマリオン５には、下端部から下方に突設されるとともに下枠６のガイドレールに係合し、ガイドレールに案内されて移動するガイドローラーや、上端部から上方に突設されるとともに上枠の吊りレールに係合し、戸体１を吊り下げ支持しつつ吊りレールに案内されて移動する吊車が設けられている。また、吊車は、上下方向Ｔ１に延びる回転軸周りに回転自在に戸体１に取り付けられている。
【０００７】
これにより、折れ戸Ａを折り畳んだ際に建物の開口部上に配される戸体１の縦框４及びマリオン５がそれぞれ、吊りレール及びガイドレールに案内されて戸枠７の上枠や下枠６の長手方向Ｔ２に沿ってスライド移動し、折れ戸Ａを開閉することができる。
【先行技術文献】
【特許文献】
【０００８】
【特許文献１】特開平１１−３０３４９４号公報
【特許文献２】特開２００６−１８８９０９号公報
【特許文献３】特開２００６−３７４２４号公報
【発明の概要】
【発明が解決しようとする課題】
【０００９】
一方、本願の発明者らは、図６に示すように、戸先などのマリオン５をなくし、戸体１の縦框４に吊車やガイドローラーを設け、この縦框４を直接的に吊りレールやガイドレールに係合させるようにし、折れ戸の部品点数を減らして組立て設置時の施工性の向上、製品コストの削減を図ることを試みた。
【００１０】
ここで、従来、戸枠７の上枠８には、折れ戸Ａを閉じるとともに、各戸体１の上框の側面、連結框２の上端側の側面２ａ、マリオン５の上端側の側面が当接して水密性や気密性を確保するための戸当りパッキン９が設けられている。また、この戸当りパッキン９は、例えばゴム等の弾性材を用いた帯板やビードであり、上枠８の室外側を向く面に固設されるとともに上枠８の長手方向Ｔ１一端部から他端部まで連続して延設されている。
【００１１】
そして、上記のようにマリオン５をなくし、戸体１の縦框４を直接的に戸枠７の上枠８や下枠６の吊りレール、ガイドレールに係合させるように構成すると、折れ戸Ａが閉じた状態から開くとき、また、開いた状態から閉じるときに、図６に示すように縦框４が上下方向Ｔ１の材軸周りに回動し、この回動とともに縦框４の一部が室内側などの外側に突出する。
【００１２】
このため、戸体１の縦框４を直接的に戸枠７の上枠８や下枠６の吊りレール、ガイドレールに係合させるように構成すると、縦框４の回動に伴い、外側に突出した縦框４の一部が戸当りパッキン９に当たってしまい、折れ戸Ａを開閉する度に戸当りパッキン９に縦框４が擦れ、破損するおそれがあった。また、戸当りパッキン９に縦框４が当接して抵抗が発生することで、折れ戸Ａを開閉する際に重くなり、大きな開閉力が必要になってスムーズに折れ戸Ａを開閉できなくなる。
【００１３】
本発明は、上記事情に鑑み、戸体の縦框を直接的に上枠や下枠にスライド移動可能に係合させて戸体を設置するように構成した場合であっても、戸当りパッキンに縦框が擦れることを防止できる折れ戸を提供することを目的とする。
【課題を解決するための手段】
【００１４】
上記の目的を達するために、この発明は以下の手段を提供している。
【００１５】
本発明の折れ戸は、戸枠と、框及び障子からなり、前記戸枠に支持される複数の戸体とを備えるとともに、隣り合う前記戸体の縦框同士を上下方向に延びる回動軸線周りに回動自在に連結してなる折れ戸であって、前記戸枠の上枠に、前記折れ戸を閉じた状態で前記戸体の上框に当接する戸当りパッキンが設けられ、且つ、前記戸枠の上枠に該上枠の長手方向に沿う回動軸線周りに回動自在に設けられた回動部材に、前記戸当りパッキンを一体に取り付けて構成されていることを特徴とする。
【００１６】
また、本発明の折れ戸においては、折れ戸の開閉動作時に、前記回動部材が前記戸体の挙動に連動して回動し、前記戸当りパッキンが前記上框に対して離間した状態を保持するように構成されていることが望ましい。
【発明の効果】
【００１７】
本発明の折れ戸においては、戸枠の上枠に回動自在に設けられた回動部材に戸当りパッキンを一体に取り付けるようにしたことで、回動部材に従動させて戸当りパッキンを回動軸線周りに回動させることができる。
【００１８】
これにより、マリオンをなくし、戸体の縦框を上枠や下枠にスライド移動可能に係合させて折れ戸を構成し、折れ戸の開閉時に縦框の一部が外側に突出する場合であっても、例えば、この縦框が戸当りパッキンに当たるとともに回動部材が回動軸線周りに回動し、戸当りパッキンに大きな力が加わることを防止できる。
【００１９】
すなわち、折れ戸の開閉時に、戸体の挙動に応じて戸体の縦框から離れるように回動部材ひいては戸当りパッキンを移動させることができる。これにより、マリオンをなくし、戸体の縦框を上枠や下枠にスライド移動可能に係合させて折れ戸を構成した場合であっても、折れ戸を開閉する度に戸当りパッキンに縦框が擦れることを防止でき、戸当りパッキンが破損するという不都合を回避することができる。また、戸当りパッキンが回動部材とともに回動することで、縦框が当接した際に大きな抵抗が発生しないため、折れ戸が重くならず、通常の開閉力でスムーズに折れ戸を開閉することができる。
【図面の簡単な説明】
【００２０】
【図１】本発明の一実施形態に係る折れ戸を示す斜視図であり、折れ戸を閉じた状態を示す図である。
【図２】本発明の一実施形態に係る折れ戸を示す斜視図であり、折れ戸を開いた状態を示す図である。
【図３】本発明の一実施形態に係る折れ戸を示す縦断面図である。
【図４】本発明の一実施形態に係る折れ戸の上部側戸当り構造を示す縦断面図である。
【図５】従来のマリオンを備えた折れ戸を示す横断面図である。
【図６】マリオンを設けずに構成した折れ戸を示す横断面図である。
【発明を実施するための形態】
【００２１】
以下、図１から図５を参照し、本発明の一実施形態に係る折れ戸について説明する。
【００２２】
本実施形態の折れ戸Ｂは、例えば図１及び図２に示すように、建物の開口部の内周に設置される戸枠７と、戸枠７に開閉可能に支持される複数の戸体１と、連結框２とを備えて構成されている。
【００２３】
戸枠７は、アルミ型材を用いて形成された上枠８、下枠６、一対の縦枠１０、１１を組み付けて方形枠状の形成されている。
【００２４】
また、上枠８は、一端部から他端部まで長手方向（折れ戸の幅方向）Ｔ２に延びる吊りレール１２を備えて形成されている。下枠６は、一端部から他端部まで長手方向Ｔ２に延びるガイドレール（ガイド溝）１３を備えて形成されている。
【００２５】
複数の戸体１はそれぞれ、アルミ型材を用いて形成された上框（上桟）１５、下框（下桟）１６、一対の縦框（縦桟）１７ａ、１７ｂ、１８、１９からなる方形枠状の框２０にガラスパネル（障子）２１を保持させて構成されている。また、これら戸体１は、隣り合う戸体１同士が上下方向Ｔ１に延びる回動軸線周りに回動自在に連結されている。
【００２６】
さらに、一部の戸体１には、図３（ａ）に示すように、縦框１８の上端部から上方に吊車２２が突設されており、この吊車２２を上枠８の吊りレール１２に係合させることで、戸体１が吊り下げ支持されて戸枠７内に配設されている。また、吊車２２は上下方向Ｔ１に延びる回動軸線周りに回動自在に縦框１８に取り付けられており、この吊車２２が吊りレール１２で案内されて走行することにより、戸体１を円滑にスライド移動させることができる。
【００２７】
さらに、一部の戸体１には、図３（ａ）に示すように、縦框１８の下端部から下方に突設してガイドローラー２３が設けられており、このガイドローラー２３を下枠６のガイドレール１３に挿入して係合させることで下端部側が支持されて、戸体１が戸枠７内に配設されている。また、ガイドローラー２３が下枠６のガイドレール１３に案内されて移動することにより、戸体１を円滑にスライド移動させることができる。
【００２８】
また、縦枠１０、１１に隣接して配設される戸体１の縦框１９には、図３（ｂ）に示すように、上端部から上方に突出するピボット（旋回軸）２４が設けられ、このピボット２４が上枠８に軸支されている。さらに、一部の戸体１、例えば戸先を形成する戸体１の縦框１８などに、下端部から下方に突出可能（上下方向に出没可能）にストッパー部材が設けられている。そして、操作レバーを操作し、ストッパー部材を下方に突出させつつ下枠６に係止させることで、戸体１（折れ戸Ｂ）を閉じた状態で固定することができる。
【００２９】
また、本実施形態の折れ戸Ｂにおいては、隣り合う戸体１を連結する連結部Ｓ１がヒンジ構造を備え、このヒンジ構造によって互いの縦框１７ａ、１７ｂ同士を連結框２を介して連結するように構成されている。
【００３０】
なお、連結框２を設けず、隣り合う戸体１の縦框１７ａ、１７ｂ同士をヒンジ構造によって直接的に連結するように構成してもよい。さらに、隣り合う戸体１を連結する連結部Ｓ１として、連結框２を設けた連結部と、連結框２を設けずに隣り合う戸体１の縦框１７ａ、１７ｂ同士をヒンジ構造によって直接的に連結する連結部とを備えて構成してもよい。この場合、例えば、折れ戸Ｂを開くとともに戸枠７（建物の開口部）から室内側あるいは室外側の外側に配される連結部を、アルミ型材を用いて形成された連結框２を介して戸体１の縦框１７ａ、１７ｂ同士を連結するようにし、折れ戸Ｂの開閉時に常に戸枠７上に配される連結部を、戸体１の縦框１７ａ、１７ｂ同士を直接連結するように構成することが好ましい。
【００３１】
一方、本実施形態の折れ戸Ｂにおいては、図３及び図４に示すように、戸枠７の上枠８に、複数の戸体１（折れ戸Ｂ）を閉じた状態で、各戸体１の上框１５の側面１５ａや連結框２の上端部側の側面２ａが当接し、この部分の水密性、気密性を確保するための上部側戸当り構造２５が設けられている。
【００３２】
本実施形態の上部側戸当り構造２５は、上枠８に一体形成され、一端部から他端部まで長手方向Ｔ２に延びる軸部２６と、この軸部２６に、軸部２６の回動軸線Ｏ１周りに回動自在（揺動自在）に繋げて設けられ、且つ上枠８の一端部から他端部までの長手方向に延びる回動部材２７と、上枠８の一端部から他端部までの長手方向Ｔ２に延設するように回動部材２７に一体に取り付けられたゴム製などの戸当りパッキン２８とを備えて構成されている。
【００３３】
また、この上部側戸当り構造２５は、折れ戸Ｂを閉じた状態で、戸体１の上框１５に戸当りパッキン２８が当接するように構成され、且つ、折れ戸Ｂの開閉動作時に、回動部材２７が戸体１の挙動に連動して自動的に回動し、戸当りパッキン２８が上框１５に対して離間した状態を保持するように構成されている。
【００３４】
なお、このように戸体１の挙動に連動させて戸当りパッキン２８を上框１５に対して当接／離間させる構成としては、折れ戸Ｂを開閉する際に戸体１が直接戸当りパッキン２８や回動部材２７を押圧して回動させるようにしたり、戸体１の上框１５に突起部を設け、折れ戸Ｂを開閉する際にこの突起部で戸当りパッキン２８や回動部材２７を押圧して回動させるようにしたり、戸体１と回動部材２７に繋げてバネ部材（弾性部材）を設け、折れ戸Ｂを開閉する際にバネ部材に生じた付勢力で回動部材２７を回動させるなど、適宜手法を用いればよい。
【００３５】
さらに、本実施形態の折れ戸Ｂにおいては、図３に示すように、戸枠７の下枠６に、複数の戸体１（折れ戸Ｂ）を閉じた状態で、各戸体１の下框１６の側面１６ａや連結框２の上端部側の側面２ａが当接し、この部分の水密性、気密性を確保するための下部側戸当り構造３０が設けられている。
【００３６】
本実施形態の下部側戸当り構造３０は、下枠６の一端部から他端部までの長手方向Ｔ２に延びる軸部３１と、軸部３１に回動軸線Ｏ２周りに回動可能に繋げて設けられ、回動軸線Ｏ２を中心とした円弧状に形成された回動部材３２と、回動部材３２に一体に取り付けられた戸当りパッキン３３とを備えて構成されている。
【００３７】
また、この下部側戸当り構造３０は、折れ戸Ｂを閉じた状態で、戸体１の下框１６に戸当りパッキン３３が当接するように構成され、且つ、折れ戸Ｂの開閉動作時に、回動部材３２が戸体１の挙動に連動して自動的に回動し、戸当りパッキン３３が下框１６に対して離間した状態を保持するように構成されている。
【００３８】
そして、本実施形態の折れ戸Ｂにおいては、折れ戸Ｂが閉じた状態から開くとき、また、開いた状態から閉じるときに、縦框１８、１９が上下方向Ｔ１の材軸周りに回動し、この回動とともに縦框１８、１９の一部が室内側などの外側に突出して戸当りパッキン２８を押圧すると、上部側戸当り構造２５の回動部材２７が回動軸線Ｏ１周りに回動する。このため、戸当りパッキン２８に大きな力が加わることがない。
【００３９】
また、複数の戸体１（折れ戸Ｂ）を閉じるとともに下部側戸当り構造３０の回動部材３２が自動的に回動軸線Ｏ２周りの正方向に回動し、下枠６の内部から上方に突出する。これとともに、戸体１の下枠６の側面や連結框２の下端部側の側面に下部側戸当り構造３０の戸当りパッキン３３が当接し、この部分の水密性、気密性が確保される。また、複数の戸体１を開くと、回動部材３２が連動して自動的に回動軸線Ｏ２周りの逆方向に回動し、下枠６の内部に収容される。
【００４０】
したがって、本実施形態の折れ戸Ｂにおいては、戸枠７の上枠８に回動自在に設けられた回動部材２７に戸当りパッキン２８を一体に取り付けるようにしたことで、回動部材２７に従動させて戸当りパッキン２８を回動軸線Ｏ１周りに回動させることができる。
【００４１】
これにより、マリオン５をなくし、戸体１の縦框１８を上枠８や下枠６にスライド移動可能に係合させて折れ戸Ｂを構成し、折れ戸Ｂの開閉時に縦框１８の一部が外側に突出する場合であっても、例えば、この縦框１７が戸当りパッキン２８に当たるとともに回動部材２７が回動軸線Ｏ１周りに回動し、戸当りパッキン２８に大きな力が加わることを防止できる。
【００４２】
すなわち、折れ戸Ｂの開閉時に、戸体１の挙動に応じて戸体１の縦框１７から離れるように回動部材２７ひいては戸当りパッキン２８を移動させることができる。これにより、マリオン５をなくし、戸体１の縦框１８を上枠８や下枠６にスライド移動可能に係合させて折れ戸Ｂを構成した場合であっても、折れ戸Ｂを開閉する度に戸当りパッキン２８に縦框１８が擦れることを防止でき、戸当りパッキン２８が破損するという不都合を回避することができる。また、戸当りパッキン２８が回動部材２７とともに回動することで、縦框１８が当接した際に大きな抵抗が発生しないため、折れ戸Ｂが重くならず、通常の開閉力でスムーズに折れ戸Ｂを開閉することができる。
【００４３】
以上、本発明に係る折れ戸の一実施形態について説明したが、本発明は上記の一実施形態に限定されるものではなく、その趣旨を逸脱しない範囲で適宜変更可能である。
【００４４】
例えば、本実施形態では、マリオン５を設けずに構成した折れ戸Ｂに上部側戸当り構造２５が設けられているものとして説明を行ったが、マリオン５を備えて構成した折れ戸に対して、軸部２６、回動部材２７、戸当りパッキン２８を設けるようにしてもよい。
【符号の説明】
【００４５】
１      戸体
２      連結框
３      縦框
４      縦框
５      マリオン
６      下枠
７      戸枠
８      上枠
１０    縦枠
１１    縦枠
１２    吊りレール
１３    ガイドレール
１５    上框
１６    下框
１７ａ  縦框
１７ｂ  縦框
１８    縦框
１９    縦框
２０    框
２１    ガラスパネル（障子）
２２    吊車
２３    ガイドローラー
２４    ピボット
２５    上部側戸当り構造
２６    軸部
２７    回動部材
２８    戸当りパッキン
３０    下部側戸当り構造
３１    軸部
３２    回動部材
３３    戸当りパッキン
Ａ      従来の折れ戸
Ｂ      折れ戸
Ｏ１    回動軸線
Ｏ２    回動軸線
Ｓ１    隣り合う戸体の連結部
Ｔ１    上下方向
Ｔ２    長手方向（折れ戸の幅方向）
【図１】
2015196976.tif 000003
【図２】
2015196976.tif 000004
【図３】
2015196976.tif 000005
【図４】
2015196976.tif 000006
【図５】
2015196976.tif 000007
【図６】
2015196976.tif 000008